(57)【特許請求の範囲】
【請求項１】
映像を表示する表示モジュール、並びに、該表示モジュールを前後それぞれから保持するフロントキャビネット及びバックキャビネットを有する表示装置において、
前記バックキャビネット側部に開口する開口部と、
操作信号を入力するための入力部を前記開口部から露出させて保持する保持部材と、
前記バックキャビネット内側に形成され、前記保持部材一側に当接する当接部材と、
前記保持部材他側から突設され前記表示モジュール周縁に係止する係止部と
を備えることを特徴とする表示装置。
【請求項２】
前記係止部は、
前記バックキャビネット側壁内側に対向する対向部と、
該対向部と前記バックキャビネット側壁内側との間に設けられ、前記対向部と前記バックキャビネット側壁内側との間隔を調整する調整部材と
を備えることを特徴とする請求項１に記載の表示装置。
【請求項３】
前記調整部材は前記対向部から突設されている
ことを特徴とする請求項２に記載の表示装置。
【請求項４】
前記保持部材は、
前記当接部材に一側が当接する第１平板と、
該第１平板と交差する方向に前記開口部を覆うべく形成され、前記入力部を露出させるための穴が形成された第２平板と
を備えることを特徴とする請求項３に記載の表示装置。
【請求項５】
前記係止部は、
前記第１平板と第２平板とが交差する前記保持部材他側から突設された連結板と、
該連結板に連結されており、前記バックキャビネット側壁内側に対向する前記対向部と、
前記対向部から突設され、前記バックキャビネット側壁内側に当接する前記調整部材と、
先端に設けられており、前記表示モジュール周縁に係止する係止突起と
を備えることを特徴とする請求項４に記載の表示装置。
【発明の詳細な説明】
【技術分野】
【０００１】
本発明は、映像を表示する表示モジュール、並びに、該表示モジュールを前後それぞれから保持するフロントキャビネット及びバックキャビネットを有する表示装置に関する。
【背景技術】
【０００２】
近年、液晶ディスプレイまたはプラズマディスプレイ等の薄型ディスプレイが普及しており、またその大型化も進んでいる。かかるディスプレイの音量調整またはチャンネル切り替え等の操作はリモートコントローラで行うほか、ディスプレイ自体に設けられた入力部からも行うことができる。
【０００３】
ディスプレイ自体に設けられる入力部は正面側ではなく、バックキャビネット側部に配置することにより、大型化に伴う審美性を向上させている。例えば特許文献１には、バックキャビネットの側部からディスプレイ右横方向に臨ませて入力部が配置された表示装置が開示されており、正面側から入力部を見えなくすることで審美性を向上させている。
【特許文献１】特開２００６−３３７９７８号公報
【発明の開示】
【発明が解決しようとする課題】
【０００４】
ところで特許文献１に記載の表示装置は、バックキャビネット側部近傍に配置される入力部をビス止めにより固定している。しかしながら、バックキャビネット側部近傍には、バックライト駆動用のインバータ基板等が直下に存在し、高圧のため危険であり、また板金等を設けてビスにより固定することが難しいという問題があった。
【０００５】
本発明はかかる事情に鑑みてなされたものであり、その目的は、入力部を保持する保持部材をビスなしで固定することにより、安全性が高く、また生産効率を向上させることが可能で安価な表示装置を提供することにある。
【課題を解決するための手段】
【０００６】
本発明に係る表示装置は、映像を表示する表示モジュール、並びに、該表示モジュールを前後それぞれから保持するフロントキャビネット及びバックキャビネットを有する表示装置において、前記バックキャビネット側部に開口する開口部と、操作信号を入力するための入力部を前記開口部から露出させて保持する保持部材と、前記バックキャビネット内側に形成され、前記保持部材一側に当接する当接部材と、前記保持部材他側から突設され前記表示モジュール周縁に係止する係止部とを備えることを特徴とする。
【０００７】
本発明に係る表示装置は、前記係止部は、前記バックキャビネット側壁内側に対向する対向部と、該対向部と前記バックキャビネット側壁内側との間に設けられ、前記対向部と前記バックキャビネット側壁内側との間隔を調整する調整部材とを備えることを特徴とする。
【０００８】
本発明に係る表示装置は、前記調整部材は前記対向部から突設されていることを特徴とする。
【０００９】
本発明に係る表示装置は、前記保持部材は、前記当接部材に一側が当接する第１平板と、該第１平板と交差する方向に前記開口部を覆うべく形成され、前記入力部を露出させるための穴が形成された第２平板とを備えることを特徴とする。
【００１０】
本発明に係る表示装置は、前記係止部は、前記第１平板と第２平板とが交差する前記保持部材他側から突設された連結板と、該連結板に連結されており、前記バックキャビネット側壁内側に対向する前記対向部と、前記対向部から突設され、前記バックキャビネット側壁内側に当接する前記調整部材と、先端に設けられており、前記表示モジュール周縁に係止する係止突起とを備えることを特徴とする。
【００１１】
本発明にあっては、映像を表示する表示モジュールは前後それぞれからフロントキャビネット及びバックキャビネットにより保持される。このバックキャビネット側部に開口部が開口している。保持部材は、操作信号を入力するための入力部を当該開口部から露出させて保持している。具体的には、バックキャビネット内側に形成される当接部材に一側が当接する第１平板、及び、当該第１平板と交差する方向に開口部を覆うべく形成され、入力部を露出させるための穴が形成された第２平板により構成される。さらに、保持部材他側から係止部が突設され、この係止部は表示モジュール周縁に係止する。これにより、表示モジュールを介在させてバックキャビネット及びフロントキャビネットを取り付ける場合、他側から突設される係止部により保持部材他側は表示モジュール周縁に係止され、一側はバックキャビネット裏面の当接部材により動きが規制されることから、入力部を保持する保持部材はビスなしで固定されることになる。
【００１２】
本発明にあっては、係止部は、バックキャビネット側壁内側に対向する対向部を有する。調整部材は、対向部とバックキャビネット側壁内側との間に設けられる。この調整部材は対向部とバックキャビネット側壁内側との間隔を調整するものであり、例えば対向部から突設される。具体的には、連結板が第１平板と第２平板とが交差する保持部材他側から突設され、この連結板に連結される対向部は、バックキャビネット側壁内側に対向する。この対向部からは、調整部材が突出され、調整部材はバックキャビネット側壁内側に当接する。さらに、係止部の先端に設けられる係止突起は表示モジュール周縁に係止する。このように対向部とバックキャビネット側壁内側との間に設けられる調整部材により、フロントキャビネットとバックキャビネットとの取り付けに伴い、これが係止部の対向部に作用し、また係止部に連結する保持部材にも作用することから開口部に対する保持部材の隙間が少なくなる。
【発明の効果】
【００１３】
本発明にあっては、枠側部に開口部が開口し、保持部材は、操作信号を入力するための入力部を当該開口部から露出させて保持している。また保持部材他側から係止部が突設され、この係止部は表示モジュール周縁に係止する。これにより、他側から突設される係止部により保持部材他側は表示モジュール周縁に係止され、一側はバックキャビネット裏面の当接部材により動きが規制されることから、入力部を保持する保持部材はビスなしで固定されることになる。従って、ビスが不要となることから生産効率が向上すると共に、高圧の表示モジュールに対しても安全性を向上することが可能となる。
【００１４】
本発明にあっては、係止部は、バックキャビネット側壁内側に対向する対向部を有する。調整部材は、対向部とバックキャビネット側壁内側との間に設けられる。従って調整部材によりビスが存在しなくとも開口部に対する保持部材の隙間、及び、当該隙間の存在に起因するぐらつきを防止でき、審美性及び操作性を向上することが可能となる等、本発明は優れた効果を奏する。
【発明を実施するための最良の形態】
【００１５】
以下本発明の実施の形態を、図面を参照して説明する。図１は表示装置の構成を示す模式的斜視図である。本実施の形態においては表示装置を液晶ディスプレイであるものとして説明するが、これに限るものではなくプラズマディスプレイ、有機ＥＬ（electroluminescence）ディスプレイまたはＳＥＤ（Surface-conduction Electron-emitter Display）等であっても良い。液晶ディスプレイは、フロントキャビネット２、バックキャビネット１及びこれらに保持される表示モジュール３を含んで構成される。
【００１６】
表示モジュール３は液晶パネル（図示せず）、液晶ドライバ（図示せず）、バックライト（図示せず）、インバータ基板３２及び周縁部３１等を含んで構成される。矩形状からなる表示モジュール３の裏面外周には周縁部３１（以下、エッジ３１という）が突設されている。表示モジュール３の正面側には矩形状の液晶パネルが設けられ、液晶ドライバの制御により液晶パネル内の液晶表示素子が制御される。表示モジュール３裏面には長手方向に伸びるバックライトが、短辺方向に複数並置され、これら複数のバックライトの配置に併せて表示モジュール３裏面側部には、短辺方向に沿うインバータ基板３２が配置される。インバータ基板３２は高電圧高周波信号を出力しバックライトの点灯制御を行う。表示モジュール３裏面にはこの短辺方向に沿う矩形状のインバータ基板３２の他、図示しない電源回路及び各種制御回路が備わり、これらは表示モジュール３裏面からバックキャビネット１へ臨ませて突設されるエッジ３１に囲まれる。
【００１７】
フロントキャビネット２は表示モジュール３と略同サイズの開口を持つ矩形状の枠体である。バックキャビネット１は平面視が矩形の皿型形状をなし、底部１５、側壁１４、ドーム部１１及び開口部１３等を含んで構成される。平面視矩形状の底部１５の各長辺及び短辺からはフロントキャビネット２に係止するための側壁１４が、フロントキャビネット２方向に臨ませて周設されている。４つの側壁１４のいずれか一つの側壁１４の近傍であるバックキャビネット１の側部には、バックキャビネット１背面方向に向かって隆起する断面視半ドーム形状のドーム部１１が形成される。
【００１８】
ドーム部１１は液晶ディスプレイの正面視右側に向けて開口する開口部１３を有し、当該開口部１３を覆うように入力部を保持する保持部材５の一部が露出している。保持部材５の開口部１３近傍には、各種操作信号を入力するための入力部の操作ボタン４、４、・・・が同じく液晶ディスプレイの正面視右側に向けて突出している。なお、以下ではドーム部１１内の保持部材５は液晶ディスプレイの正面視右側裏面に配置する例を説明するが、正面視左側裏面、正面視上側裏面または正面視下側裏面に配置しても良い。ドーム部１１内に入力部及びこれを保持する保持部材５を収容するバックキャビネット１は、間に表示モジュール３を介在させて、フロントキャビネット２に取り付けられる。
【００１９】
図２はドーム部１１の詳細構造を示す模式的斜視図、図３はドーム部１１に保持部材５及び操作ボタン４を取り付けた状態を示す模式的斜視図である。バックキャビネット１の側壁１４近傍の側部には、底部１５の外面からフロントキャビネット２への取り付け方向とは反対方向に隆起する中空状のドーム部１１が形成される。ドーム部１１は液晶ディスプレイの背面視において矩形状をなし、また長手方向における断面視において楕円を長軸及び短軸にて分断し、楕円を１／４とした形状をなす。ドーム部１１は断面視における短軸付近にて開口部１３が、液晶ディスプレイの正面視右側に向けて開口している。同様に、開口部１３に隣接する箇所も開口部を有し、当該開口部にはＨＤＭＩ（High-Definition Multimedia Interface）端子等の各種端子が設けられるが、説明を容易にするために当該開口部及び各種端子群に関する説明は省略する。
【００２０】
ドーム部１１の断面視における短軸側に開口する開口部１３は矩形状をなし、ここに操作ボタン４、及び、これらを保持する保持部材５が取り付けられる。図３に示すように、保持部材５は中空状のドーム部１１内部に収容され、保持部材５の矩形状の第２平板５２がドーム部１１の開口部１３から、液晶ディスプレイ正面視右側を臨ませて露出している。第２平板５２は開口部１３よりも若干大きな表面積を有して露出しており、当該第２平板５２の周縁は開口部１３を構成するドーム部１１内面に当接している。第２平板５２の当該当接する周縁以外は図３に示すとおり外部に露出している。
【００２１】
保持部材５は後述するようにドーム部１１内部にて、チャンネルの切り替え、ミュート、音量の操作、入力信号の切り替え、電源のオンまたはオフに係る操作信号を入力するための入力部を保持している。外部に露出する第２平板５２には長手方向に沿って操作ボタン４を外部に露出させるための案内穴５３、５３、・・・が形成されている。入力部を構成する各操作ボタン４は案内穴５３から突出し、ユーザからの操作を受け付ける。操作ボタン４が液晶ディスプレイ正面視左側方向に向けて押された場合、対応する操作ボタン４に対応する操作信号が内部の回路に出力され、各種制御が実行される。
【００２２】
続いて保持部材５及び入力部４０について説明する。図４は入力部４０を保持部材５に取り付ける前の状態を示す模式的斜視図、図５は入力部４０を保持部材５に取り付けた後の状態を示す模式的斜視図、図６は足部を背面付近から見た場合の構造を示す模式的斜視図、及び、図７は入力部４０を取り付ける前の保持部材５の背面の構造を示す模式的斜視図である。入力部４０を保持する保持部材５は、第１平板５１、第２平板５２、案内穴５３、係止板５４及び足部５６等を含んで構成される。
【００２３】
液晶ディスプレイの短辺方向を長手方向とする矩形状の第１平板５１は、当該第１平板５１の長辺側の一側５１１とは反対側の他側５５にて、当該第１平板５１と略垂直方向に交差する第２平板５２に連結している。図７の背面図に示す如く、第１平板５１は入力部４０からの操作信号を各回路へ伝達する配線を案内すると共に、保持部材５が容易に撓むことができるよう矩形状の穴５１２、５１２、５１２が開口している。第１平板５１に対して他側５５から交差する方向に向けて突設される第２平板５２には上述したように複数の案内穴５３、５３、・・・が形成されている。
【００２４】
第２平板５２の上部両隅には第１平板５１と平行な係止板５４、５４が第１平板５１の形成方向と同方向に向けて突設されている。この係止板５４は矩形状の開口を有する板であり、後述する入力部４０の係止突起４２により係止される。さらに、第１平板５１と第２平板５２とが交差する他側５５からは、係止部たる２つの足部５６、５６が突設されている。なお、本実施の形態においては足部５６を２つとする構成としたが、１つまたは３以上とする構成であっても良い。本実施の形態における保持部材５は液晶ディスプレイの平面視において第１平板５１が略９時位置方向、第２平板５２が略１２時位置方向、足部５６が略４時位置方向に向けてそれぞれ形成されている。なお、足部５６の詳細については後述する。
【００２５】
プラスチック製の入力部４０は操作ボタン４が配置される正面側とは反対側の背面が開口した直方体形状をなし、操作ボタン４、切り欠き部４１、及び係止突起４２等を含んで構成される。第２平板５２に対向する入力部４０の正面側には、操作ボタン４の進退が可能となるように操作ボタン４の周囲の一部を切り欠いた切り欠き部４１が形成されている。操作ボタン４の裏面側には、操作ボタン４の操作に伴い操作信号を出力するためのスイッチが複数設けられており、各操作ボタン４の操作に伴う情報が表示モジュール３内の各種回路へ出力される。
【００２６】
入力部４０の上面であって操作ボタン４が配置される側の両脇には係止板５４の開口に係止する係止突起４２、４２が突設されている。図５に示すように、入力部４０は第１平板５１に沿って、操作ボタン４が配された正面側を第２平板５２に向けて押し込み、操作ボタン４、４、・・・を対応する各案内穴５３、５３、・・・から突出させる。さらに入力部４０を第２平板５２裏面に強く当接することにより、入力部４０上面の係止突起４２、４２がこれと略平行な係止板５４の開口へ下側から進入することによって、入力部４０と第２平板５２との係止が完了する。なお、本実施の形態においては２つの係止突起４２、４２と２つの係止板５４、５４とによって入力部４０を第２平板５２に取り付ける形態を示したが、これに限るものではなくさらに多くの係止突起４２と係止板５４とによって係止する構成であってもよい。
【００２７】
次に図５乃至図７を用いて足部５６の詳細を説明する。足部５６は第１連結板５６１、第２連結板５６２、周壁５６３、対向面５７、調整部材５８、穴部５１０、及び、係止突起５９等を含んで構成される。他側５５から４時位置方向に向けて突接される第１連結板５６１は台形板状をなし、長辺側が他側５５、短辺側は矩形状の第２連結板５６２に連結される。なお、一方の足部５６の第１連結板５６１は上述のとおり台形状であるが、この形状に限るものではなく他方の足部５６の如く長方形状のものであっても良い。
【００２８】
第２連結板５６２の略中央部には漏斗形状の穴部５１０が形成されている。この穴部５１０は足部５６が容易に撓むことができるよう所定の大きさにて開設されている。本実施の形態においては、穴部５１０は第２平板５２の他側５５から離れるに従って開口幅が小さくなるよう形成している。矩形状の第２連結板５６２の一長辺及び２つの短辺からは周壁５６３、５６３、５６３が、液晶ディスプレイの平面視における６時位置方向、すなわち第２平板５２の形成方向とは逆方向に垂設されている。第２連結板５６２の両短辺上に形成される周壁５６３、５６３の先端、すなわち足部５６の先端には、表示モジュール３のエッジ３１に係止するための係止突起５９、５９が突設されている。
【００２９】
係止突起５９は周壁５６３の上面の端部においてドーム部１１の側面視における形状と相似の形状をなして突設されている。すなわち、係止突起５９は側面視において楕円を長軸及び短軸にて分断し、楕円を１／４とした形状をなす。係止突起５９の長軸側が周壁５６３上面に結合し、係止突起５９の短軸がエッジ３１に係止する。なお、本実施の形態においては係止突起５９により、エッジ３１と係止する構成としたが、これに限るものではなく、周壁５６３の上面に凹部を設け、ここにエッジ３１を突入させることにより係止する形態であっても良い。第２連結板５６２の長辺側の周壁５６３は、短辺側から突設される２つの周壁５６３、５６３の一端に両脇が連結されている。対向部である長辺側の周壁５６３の正面側には、後述する如くバックキャビネット１の側壁１４内側に対向する対向面５７が存在し、この対向面５７から保持部材５の液晶ディスプレイの平面視における３時位置方向に向けて、すなわち第１平板５１の形成方向とは反対方向に向けて、矩形状の調整部材５８が突設されている。
【００３０】
周壁５６３の対向面５７から突設される調整部材５８はバックキャビネット１の側壁１４内側に当接する。この調整部材５８は、周壁５６３の対向面５７とバックキャビネット１の側壁１４内側との間隔を調整するために、対向面５７から側壁１４内側を臨ませて突設されている。表示モジュール３を介在させてフロントキャビネット２及びバックキャビネット１を取り付ける際、エッジ３１に係止する係止突起５９、及び、側壁１４に当接する当該調整部材５８双方から作用する力により、保持部材５は撓むことになる。なお、本実施の形態においては調整部材５８を周壁５６３の対向面５７から一体成形により突設させ、またその形状を矩形状としたが、これに限るものではない。調整部材５８を例えばゴム等の弾性部材により構成し、これを対向面５７に貼り付けるほか、対向面５７に対向するバックキャビネット１の側壁１４内側に貼り付けるようにしても良い。また調整部材５８の形状は、丸形、三角形、または多角形であっても良い。
【００３１】
次にバックキャビネット１の内側の構造について説明する。図８はバックキャビネット１の内側の構造を示す模式的斜視図である。バックキャビネット１は上述した如く底部１５の周囲が底部１５からフロントキャビネット２側に向けて突設される側壁１４、１４、１４、１４により覆われている。液晶ディスプレイの正面視右側の側壁１４近傍の側部にはドーム部１１が凹設されている。なお、ドーム部１１の開口部１３は図８では図示していない。ドーム部１１裏面の弧部分にはフロントキャビネット２へ向かう方向に、保持部材５の第１平板５１の一側５１１の当てとなる当接部材（以下、ストッパという）１２が突設されている。
【００３２】
平面視が逆Ｌ字型のストッパ１２は支持部１２１及び当て部１２２を含んで構成される。支持部１２１は側壁１４と交差する方向、換言すれば第１平板５１の一側５１１の形成方向と交差する方向に向けて形成される板部材であり、ドーム部１１の傾斜する弧上に突設される。一方、当て部１２２は、当該当て部１２２の補強部材たる支持部１２１と交差する方向に、ドーム部１１の傾斜する弧上に突設される。当て部１２２は矩形板状をなし、その平面は側壁１４に対し略平行な面であり、第１平板５１の一側５１１に当接する。なお、１６、１６はバックキャビネット１とフロントキャビネット２とをネジにより固定する際に利用するネジ穴である。ネジ穴１６は側壁１４のフロントキャビネット２に対向する面上の適宜の箇所に設けられる。
【００３３】
図９はバックキャビネット１のドーム部１１に保持部材５を載置した状態を示す模式的斜視図である。保持部材５は足部５６、５６の先端がフロントキャビネット２側へ向き、第１平板５１の一側５１１がストッパ１２の当て部１２２に当接するよう載置する。当て部１２２により形成される面は第１平板５１の一側５１１に当接する。また足部５６の対向面５７から突設される調整部材５８は側壁１４の内側に当接する。さらに、ドーム部１１の開口部１３（図９では図示せず）周縁に第２平板５２の周縁が当接する。なお、本実施の形態においてはストッパ１２の形状を逆Ｌ字型のものとしたが、これに限るものではない。第１平板５１の動きを規制し、また、一側５１１に当接するものであれば、他の形状であっても良い。例えば、複数の突起を一側５１１に当接するようドーム部１１から突設させるようにしても良い。
【００３４】
最後に、バックキャビネット１とフロントキャビネット２との間に、表示モジュール３、入力部４０及び保持部材５を介在させて固定する際の手順について説明する。図１０は入力部４０が取り付けられた保持部材５を固定した状態を示す模式的斜視図、図１１は液晶ディスプレイの横断面図である。なお、図１０ではバックキャビネット１の一部の記載を省略している。保持部材５の足部５６先端に突設された係止突起５９、５９をエッジ３１の上面に係止させる。具体的には、エッジ３１上面内周側の角と、係止突起５９の短軸とを当接させる。また操作ボタン４が露出した第２平板５２をドーム部１１の開口部１３から露出させる。さらに、第１平板５１の一側５１１をストッパ１２の当て部１２２に当接させる。
【００３５】
他側５５から斜め方向（図１１では８時位置方向）に突設される足部５６が、エッジ３１の上面に係止されることから、第１平板５１とインバータ基板３２との間には空間が形成される。このような当接及び係止状態にて、バックキャビネット１、入力部４０が取り付けられた保持部材５、表示モジュール３、及びフロントキャビネット２を、この順に重ね合わせ、ネジ穴１６にネジ１６１を螺合することによりフロントキャビネット２とバックキャビネット１とを固定する。
【００３６】
フロントキャビネット２とバックキャビネット１との固定による作用を、図１１を用いて説明する。ネジ１６１の螺合が進むにつれ、バックキャビネット１の側壁１４内側が、足部５６の対向面５７から突設される調整部材５８を、図１１の白抜き矢印で示す第２平板５２の形成方向と交差する方向へ押す力が作用する。この白抜き矢印で示す方向は、第１平板５１の形成方向と同方向である。第１平板５１の先端である一側５１１は、同じくバックキャビネット１の当て部１２２により、白抜き矢印で示す方向への動きが規制される。
【００３７】
そして、第１平板５１と第２平板５２とが交差する他側５５を中心としたてこの原理により、白抜き矢印で示す方向とは１８０度逆方向の黒抜き矢印で示す力が第２平板５２に作用することになる。第２平板５２にはフロントキャビネット２とバックキャビネット１との固定に伴い、液晶ディスプレイ正面視右側に向かう黒抜き矢印で示す方向の力が作用することから、ドーム部１１の開口部１３と第２平板５２との間に生じる隙間がなくなる。これにより、操作ボタン４をユーザが操作した場合、または、第２平板５２をユーザが液晶ディスプレイ正面視左側方向へ押した場合でも、ドーム部１１内部の開口部１３周縁に第２平板５２の露出していない周縁が押されることから、第２平板５２がぐらつくことがなく、第２平板５２と開口部１３との間の隙間が発生することも低減される。さらに、インバータ基板３２と入力部４０が固定された保持部材５とを適切な空間を確保した上で、ビス無しでしっかりと固定することができ、生産性の向上、安全性の向上、ひいては操作ボタン４をバックキャビネット１の側壁１４から離れた裏側に設置したことに伴う審美性も向上させることが可能となる。
【図面の簡単な説明】
【００３８】
【図１】表示装置の構成を示す模式的斜視図である。
【図２】ドーム部の詳細構造を示す模式的斜視図である。
【図３】ドーム部に保持部材及び操作ボタンを取り付けた状態を示す模式的斜視図である。
【図４】入力部を保持部材に取り付ける前の状態を示す模式的斜視図である。
【図５】入力部を保持部材に取り付けた後の状態を示す模式的斜視図である。
【図６】足部を背面付近から見た場合の構造を示す模式的斜視図である。
【図７】入力部を取り付ける前の保持部材の背面の構造を示す模式的斜視図である。
【図８】バックキャビネットの内側の構造を示す模式的斜視図である。
【図９】バックキャビネットのドーム部に保持部材を載置した状態を示す模式的斜視図である。
【図１０】入力部が取り付けられた保持部材を固定した状態を示す模式的斜視図である。
【図１１】液晶ディスプレイの横断面図である。
【符号の説明】
【００３９】
１      バックキャビネット
２      フロントキャビネット
３      表示モジュール
４      操作ボタン
５      保持部材
１１    ドーム部
１２    ストッパ
１３    開口部
１４    側壁
１５    底部
３１    エッジ
３２    インバータ基板
４０    入力部
４１    切り欠き部
４２    係止突起
５１    第１平板
５２    第２平板
５３    案内穴
５４    係止板
５５    他側
５６    足部
５７    対向面
５８    調整部材
５９    係止突起
１２１  支持部
１２２  当て部
５１０  穴部
５６１  第１連結板
５６２  第２連結板
５６３  周壁
【図１】
0004931737.tif 000002
【図２】
0004931737.tif 000003
【図３】
0004931737.tif 000004
【図４】
0004931737.tif 000005
【図５】
0004931737.tif 000006
【図６】
0004931737.tif 000007
【図７】
0004931737.tif 000008
【図８】
0004931737.tif 000009
【図９】
0004931737.tif 000010
【図１０】
0004931737.tif 000011
【図１１】
0004931737.tif 000012